(57)【要約】【課題】ユーザが気楽に使用できて、所望のコンテンツの提供を簡単，かつ確実に受けることができるようにしたテーブル型情報端末を提供する。【解決手段】テーブル１のテーブル面３にスクリーン４ａ，４ｂが設けられており、テーブル１内の投写装置１２ａ，１２ｂによってコンテンツリストやこれによって選択されたコンテンツなどが表示される。このスクリーン４ａ，４ｂには、複数の赤外線ＬＥＤ６から均一に赤外線が照射されており、これによって生ずるスクリーン４ａ，４ｂにタッチした物体のシルエットをカメラ部１３で撮影し、コンテンツリストをタッチ操作するための指先によるものか、それ以外の物体によるものであるかを判定する。これによって指先がタッチしていると判定されたときには、コンテンツリストでのコンテンツメニューの選択が行なわれる。【選択図】図１
2005228102.tif 000002
【特許請求の範囲】
【請求項１】
テーブルのテーブル面にスクリーンを設け、該テーブル内に設けた投写装置から該スクリーンに映像を投写して表示させるテーブル型情報端末において、
該スクリーン上に、該テーブル面に置かれた物体のシルエットを生じさせる手段を設けるとともに、
該テーブル内に、
該スクリーンを撮像するカメラ部と、
該カメラ部からの映像信号から該スクリーンでの該シルエットを検出して、該シルエットを生じさせる該物体が指先であるか、指先以外であるかを判定する手段と
を設けたことを特徴とするテーブル型情報端末。
【請求項２】
請求項１において、
前記物体のシルエットを生じさせる手段は、前記スクリーンに投写される映像の光の波長領域とは異なる所定波長領域の光を放射する発光手段であって、前記スクリーン全体が該光によって均一に照射され、
前記カメラ部は、該所定波長領域の光のみを受光することを特徴とするテーブル型情報端末。
【請求項３】
テーブルのテーブル面にスクリーンを設け、該テーブル内に設けた投写装置から該スクリーンに映像を投写して表示させるテーブル型情報端末において、
前記テーブル面に、該スクリーンへの物体のタッチ位置及びタッチ領域を検出するためのタッチセンサを設けるとともに、
該テーブル内に、該タッチセンサの検出出力により、該スクリーンにタッチする物体が指先であるか、指先以外であるかを判定する判定手段を設けたことを特徴とするテーブル型情報端末。
【請求項４】
請求項１，２または３において、
前記スクリーンには、コンテンツメニューからなるコンテンツリストが横方向に流れるようにスクロール表示されるコンテンツリスト表示領域と、該コンテンツリストから所望とするコンテンツメニューが選択されたとき、選択された該コンテンツメニューに対するコンテンツが表示されるコンテンツ再生領域と、保存されたコンテンツを表わすコンテンツアイコンが表示されるコンテンツ保存領域とからなる情報操作画面が表示され、
該コンテンツ再生領域で表示されるコンテンツを保存するとき、該コンテンツのコンテンツアイコンが該コンテンツ保存領域に表示され、かつ該コンテンツ保存領域に表示される該コンテンツアイコンを選択することにより、選択された該コンテンツアイコンに対するコンテンツが該コンテンツ再生領域に表示されることを特徴とするテーブル型情報端末。
【請求項５】
請求項４において、
前記コンテンツリスト表示領域に指先以外の物体が置かれたとき、前記判定手段の判定結果に応じて前記投写装置によって投写される前記コンテンツリストの流れを制御し、前記コンテンツリストが該物体を避けで流れるように表示させる制御手段を設けたことを特徴とするテーブル型情報端末。
【請求項６】
請求項５において、
前記テーブル面にＩＤタグを読み取るためのタグリーダを設け、
該タグリーダで該ＩＤタグから読み取った情報に応じたコンテンツリストを前記コンテンツリスト表示領域にスクロール表示させることを特徴とするテーブル型情報端末。
【請求項７】
請求項５において、
前記テーブル面にＩＣカードを読み取るためのカードリーダを設け、
該カードリーダで該ＩＣカードから読み取った情報に応じたコンテンツを該ＩＣカードに保存されるコンテンツとして、該保存したコンテンツのコンテンツアイコンを前記コンテンツ保存領域に表示することを特徴とするテーブル型情報端末。
【請求項８】
請求項７において、
前記ＩＣカードを前記カードリーダから取り除くことにより、前記コンテンツ保存領域に表示されている前記コンテンツアイコンに対するコンテンツをこのＩＣカードに保存されたものとすることを特徴とするテーブル型情報端末。
【請求項９】
請求項７または８において、
前記コンテンツ保存領域に「メール送信」ボタンを設けるとともに、
前記カードリーダによって前記ＩＣカードから読み取られるこのＩＣカードのカード所有者の個人情報をもとに認証を行なう手段と、
該「メール送信」ボタンの操作により、認証された前記ＩＣカードから読み取られたメールアドレスに前記コンテンツ保存領域に表示されるコンテンツアイコンに対するコンテンツに関する情報を送信する手段と
を設け、該メールアドレスからの該コンテンツの取得を可能としたことを特徴とするテーブル型情報端末。
【発明の詳細な説明】
【技術分野】
【０００１】
本発明は、テーブルの天板にスクリーンを設け、このスクリーンでユーザが要求するコンテンツを提供するテーブル型情報端末に関する。
【背景技術】
【０００２】
ユーザに所望のコンテンツを提供するための方法として、従来、表示面に、まず、メニューのリスト（コンテンツリスト）を表示し、このコンテンツリストから所望のコンテンツのメニューを選択することにより、このコンテンツをサーバで選択し、選択したコンテンツを同じ表示面上に表示するようにした方法が知られている。
【０００３】
そして、かかる方法の一従来例としては、かかるコンテンツリストを表示面上を、例えば、右から左に流れるようにスクロール表示させるようにしたものが提案されている（例えば、特許文献１参照）。
【０００４】
喫茶店やカフェ，バーなどでは、例えば、ゲーム機などのように、テーブルのテーブル面に映像の表示面を設け、これに所望の映像を表示させてユーザにゲームなどのための映像を提供するようなことも行なわれている。かかるテーブル型の情報端末で上記特許文献１に記載のコンテンツ提供方法を適用することにより、ユーザが所望とするコンテンツの提供を選択的に受けることができるようにすることが考えられる。
【特許文献１】特開２００１ー２７３２９８号公報（図９〜図１１）
【発明の開示】
【発明が解決しようとする課題】
【０００５】
ところで、上記特許文献１に記載の方法をテーブルのテーブル面での映像表示に適用した場合、ユーザにとってかかるテーブル型の情報端末を使い易くするために、このテーブル面に表示されるコンテンツリストから所望のメニューをタッチ操作で選択できるようにすることが考えられる。
【０００６】
しかしながら、スクロールするコンテンツリストから所望のメニューを選択するためには、このメニューに指先でタッチすることが必要であり、メニューにタッチしたことを検出することができるようにすることが必要である。
【０００７】
また、このようなタッチ操作によってメニューが選択されるようにすると、テーブル面にコップなどの指先以外の物体が置かれた場合でも、メニューが選択されてしまうし、しかも、このような物体が置かれると、これでもってコンテンツリストの一部が隠され、ユーザは一部のメニューを見ることができなくなるといった問題もある。このような問題があると、ユーザに気楽に使われなくなるおそれもある。
【０００８】
さらに、コンテンツリストから所望とするメニューが選択されると、このメニューに対するコンテンツが表示面に表示されて、コンテンツリストが表示されなくなり、他のコンテンツを見たい場合には、コンテンツの表示画面からコンテンツリストの表示画面に切り替えるための操作が必要となり、操作が煩雑にもなる。特に、このように、操作が煩雑になったことによっても、ユーザに気楽に使われなくなるおそれもある。
【０００９】
本発明の目的は、かかる問題を解消し、ユーザが気楽に使用できて、所望のコンテンツの提供を簡単，かつ確実に受けることができるようにしたテーブル型情報端末を提供することにある。
【課題を解決するための手段】
【００１０】
上記目的を達成するためには、本発明は、テーブルのテーブル面にスクリーンを設け、テーブル内に設けた投写装置からスクリーンに映像を投写して表示させるテーブル型情報端末であって、スクリーン上に、テーブル面に置かれた物体のシルエットを生じさせる手段を設けるとともに、このテーブル内に、スクリーンを撮像するカメラ部と、カメラ部からの映像信号からスクリーンでのシルエットを検出して、このシルエットを生じさせる物体が指先であるか、指先以外であるかを判定する手段とを設けたものである。
【００１１】
そして、物体のシルエットを生じさせる手段は、スクリーンに投写される映像の光の波長領域とは異なる所定波長領域の光を放射する発光手段であって、スクリーン全体がこの光によって均一に照射され、カメラ部は、この所定波長領域の光のみを受光するものである。
【００１２】
また、本発明は、テーブルのテーブル面にスクリーンを設け、テーブル内に設けた投写装置からスクリーンに映像を投写して表示させるテーブル型情報端末であって、テーブル面に、スクリーンへの物体のタッチ位置及びタッチ領域を検出するためのタッチセンサを設けるとともに、テーブル内に、このタッチセンサの検出出力により、スクリーンにタッチする物体が指先であるか、指先以外であるかを判定する判定手段を設けたものである。
【００１３】
また、スクリーンには、コンテンツメニューからなるコンテンツリストが横方向に流れるようにスクロール表示されるコンテンツリスト表示領域と、コンテンツリストから所望とするコンテンツメニューが選択されたとき、選択されたコンテンツメニューに対するコンテンツが表示されるコンテンツ再生領域と、保存されたコンテンツを表わすコンテンツアイコンが表示されるコンテンツ保存領域とからなる情報操作画面が表示され、このコンテンツ再生領域で表示されるコンテンツを保存するとき、コンテンツのコンテンツアイコンがコンテンツ保存領域に表示され、かつコンテンツ保存領域に表示されるコンテンツアイコンを選択することにより、選択されたコンテンツアイコンに対するコンテンツがコンテンツ再生領域に表示されるものである。
【００１４】
また、コンテンツリスト表示領域に指先以外の物体が置かれたとき、上記の判定手段の判定結果に応じて投写装置によって投写されるコンテンツリストの流れを制御し、コンテンツリストがこの物体を避けで流れるように表示させる制御手段を設けたものである。
【００１５】
また、テーブル面にＩＤタグを読み取るためのタグリーダを設け、タグリーダでＩＤタグから読み取った情報に応じたコンテンツリストをコンテンツリスト表示領域にスクロール表示させるものである。
【００１６】
また、テーブル面にＩＣカードを読み取るためのカードリーダを設け、カードリーダでＩＣカードから読み取った情報に応じたコンテンツをＩＣカードに保存されるコンテンツとして、保存したコンテンツのコンテンツアイコンをコンテンツ保存領域に表示するものである。
【００１７】
また、ＩＣカードをカードリーダから取り除くことにより、コンテンツ保存領域に表示されているコンテンツアイコンに対するコンテンツをこのＩＣカードに保存されたものとするものである。
【００１８】
また、コンテンツ保存領域に「メール送信」ボタンを設けるとともに、カードリーダによってＩＣカードから読み取られるこのＩＣカードのカード所有者の個人情報をもとに認証を行なう手段と、「メール送信」ボタンの操作により、認証されたＩＣカードから読み取られたメールアドレスにコンテンツ保存領域に表示されるコンテンツアイコンに対するコンテンツに関する情報を送信する手段とを設け、メールアドレスからのコンテンツの取得を可能としたものである。
【発明の効果】
【００１９】
本発明によると、テーブル面にコンテンツメニューが表示されても、指先でこれをタッチ選択した場合、選択されたコンテンツメニューに対するコンテンツを確実に取得することができるし、また、指先以外の物体がこのテーブル面に載置されても、これによってコンテンツが選択されるといった誤動作を防止することができる。
【発明を実施するための最良の形態】
【００２０】
以下、本発明の実施形態を図面により説明する。  
図１は本発明による情報表示端末の一実施形態を示す構成図であって、同図（ａ）は外観斜視図、同図（ｂ）は奥行き方向の縦断面図、同図（ｃ）は横方向の縦断面図であり、１はテーブル、２は椅子、３はテーブル面、４，４ａ，４ｂはスクリーン、５は衝立、６は赤外線ＬＥＤ（Light-Emitting Diode）、７は無線ＩＤタグのリーダ（タグリーダ）、８は無線ＩＣカードのリーダ（カードリーダ）、９ａ，９ｂは近接センサ、１０は着座センサ、１１は前外面、１２は投写装置、１３はカメラ部である。
【００２１】
同図において、この実施形態はテーブル１とその前に座るための椅子２とから構成され、椅子２はテーブル１に対して固定された位置関係で配置されている。
【００２２】
テーブル１の横長の天板の上面、即ち、テーブル面３には、このテーブル面３のほぼ全体にわたってスクリーン４ａ，４ｂが並設されている。これらスクリーン４ａ，４ｂには、タッチセンサ（図示せず）が設けられていて、タッチパネルの機能を備えている。なお、ここでは、２枚のスクリーン４ａ，４ｂが設けられているものとするが、１枚のスクリーンでも、また、３枚以上のスクリーンでもよい。また、テーブル面３の椅子２側とは反対側（以下、後ろ側といい、これに対し、椅子２側を手前側という）の辺部には、ほぼこの辺部全体わたって衝立５が設けられ、この衝立５に複数の赤外線ＬＥＤがスクリーン４ａ，４ｂの配列方向に沿って取り付けられている。かかる赤外線ＬＥＤにより、スクリーン４ａ，４ｂ全体がほぼ均一の強度で赤外線が照射される。
【００２３】
また、テーブル面３の右端部には、無線ＩＤタグを読み取るタグリーダ７が設けられ、また、テーブル面３の左端部には、無線ＩＣカードを読み取るカードリーダ８が設けられている。これらタグリーダ７とカードリーダ８はいずれもテーブル面３の内側に設けられており、テーブル面３上のほぼタグリーダ７が設けられている位置に無線ＩＤタグを置くと、タグリーダ７によってこの無線ＩＤタグの読み取りが行なわれ、同様に、テーブル面３上のほぼカードリーダ８が設けられている位置に無線ＩＣカードを置くと、カードリーダ８によってこの無線ＩＣカードの読み取りが行なわれる。
【００２４】
テーブル１の前外面１１には、テーブル１に接近するユーザ（顧客）を検知する近接センサ９ａ，９ｂが設けられており、また、椅子２の腰を乗せる部分には、着座センサ１０が設けられている。
【００２５】
テーブル１の内部には、図１（ｂ）に示すように、投写装置１２とカメラ部１３とが設けられている。投写装置１２で映出される映像がレンズ（図示せず）で拡大されてスクリーン４に投写される。また、カメラ部１３は、赤外線ＬＥＤ６から赤外線が照射されるスクリーン４を裏側から図示しない赤外線フィルタを介して撮影し、スクリーン４上に乗せられる指先などの物体のシルエットを検出するために用いられる。このシルエットを撮像してパターン認識処理することにより、このシルエットを生じさせるスクリーン４上の物体の種類や移動方向などを判定する。
【００２６】
また、図１（ｃ）に示すように、各赤外線ＬＥＤ６は広角に赤外線を放射し、隣りの赤外線ＬＥＤ６の放射域と重なるようにしている。なお、ここでは、投写装置１２としては、２つの投写装置１２ａ，１２ｂが設けられ、投写装置１２ａはスクリーン４ａに映像を投写し、投写装置１２ｂはスクリーン４ｂに映像を投写する。また、図１（ｃ）では、図示しないが、カメラ部１３（図１（ｂ））も、ここでは、２個用いられているものとする。
【００２７】
ここで、図２により、赤外線ＬＥＤ６が赤外線を広角に放射することによる作用について説明する。
【００２８】
図２（ａ１），（ｂ１），（ｃ１）は夫々スクリーン４の面からの物体１４の距離に応じた赤外線（矢印で示す）の照明状態を示すものであって、図２（ａ１），（ｂ１）の順に物体１４がスクリーン４に近づき、図２（ｃ１）で物体１４がスクリーン４上に乗った状態を示している。
【００２９】
また、図２（ａ２），（ｂ２），（ｃ２）は夫々図２（ａ１），（ｂ１），（ｃ１）の状態でカメラ部１３が撮像して得られる映像信号を示すものである。
【００３０】
まず、図２（ａ１）に示すように、物体１４がスクリーン４から離れている場合には、この物体１４の真上の赤外線ＬＥＤ６から広角に放射される赤外線は、物体１４の上面に照射され、この物体１４の側面や下面には照射されない。しかし、この物体１４の真上からずれた、例えば、隣りの赤外線ＬＥＤ６ａ，６ｂから広角に放射される赤外線は物体１４の下面の下側にも入り込む。このために、カメラ部１３から得られる映像信号は、図２（ａ２）に示すように、物体１４の部分でレベルＶが低下するが、そのレベル低下も大きくなく、ある程度大きいレベルＶとなっている。
【００３１】
次に、図２（ｂ１）に示すように、図２（ａ１）に示す場合よりも物体１４がスクリーン４に近づいた場合には、物体１４の下面の下に入り込む隣りの赤外線ＬＥＤ６ａ，６ｂからの赤外線の光量が減少して、スクリーン４での物体１４のシルエットが濃くなり、その分、図２（ｂ２）に示すように、物体の部分で映像信号のレベルＶがさらに低下する。そして、このレベルＶが低下した部分の縁部（レベルが低下あるいは上昇する部分。以下、レベル低下の境界部分という）でのレベルＶの空間方向の微分値が図２（ａ１）の場合よりも大きくなる。なお、物体１４からスクリーン４から近づいていくと、かかる微分値は大きくなっていく。
【００３２】
そして、図（ｃ１）に示すように、物体１４の下面がスクリーン４に接して物体１４がスクリーン４上に乗ると、この物体１４の下に入り込む赤外線がなくなるので、その部分での映像信号のレベルＶは、図２（ｃ２）に示すように、ほとんど零となり、このレベルＶ＝０へのレベル低下の境界部分の微分値も、図２（ｃ）から明らかなように、図２（ｂ２）の場合よりも大きくなる。また、図２（ａ２）〜（ｃ２）に示すように、レベルＶ＝０に近いレベルＶTの閾値を設定し、これと映像信号とをレベル比較することにより、図２（ｃ１）に示すように物体１４がスクリーン４に接した場合には、この部分での映像信号のレベルＶは、図２（ｃ２）に示すように、Ｖ＜ＶT となる。
【００３３】
このようにして、映像信号のレベル低下の境界部分の微分値の変化により、物体１４がスクリーン４に近づいているか、遠ざかっているかを判定することができ、また、レベルＶ＝０に近い閾値ＶT により、物体１４がスクリーン４上に乗ったことを判定することができる。
【００３４】
図２（ｄ１）は図２（ｃ１）に示す物体１４と同じ太さであって、高さが異なる物体１４’がスクリーン４上に乗った状態を示すものであって、図２（ｃ１）の場合と比較して明らかなように、高い物体１４’の方がスクリーン４でのこの物体１４’の周囲を照射する赤外線の光量が少ない。このために、図２（ｃ１）と比較して明らかなように、高い物体１４’の方がレベル低下の境界部分の微分値が小さくなる。従って、このことから、スクリーン４に乗っている物体が高いか、低いかといった高さの度合いを推定することができる。
【００３５】
なお、スクリーン４に乗っている物体の断面積の大きさや下面の形状は、スクリーン４上のシルエットの大きさや形状によって判定できるし、また、スクリーン４上でのシルエットの位置も判定できる。
【００３６】
以上のように、広角に赤外線を発光する赤外線ＬＥＤ６を用いることにより、物体１４のシルエットを元に、物体１４に関する以上のことを判定，推定することが可能となる。
【００３７】
図３は図１におけるスクリーン４ａ，４ｂに表示される情報操作画面１５の表示エリアの区分を示す図である。
【００３８】
同図において、情報操作画面１５はスクリーン４ａ，４ｂに表示され、ユーザがコンテンツ取得の操作をすることができるようにしたものであって（縦の破線は、これらスクリーン４ａ，４ｂの境界を示す）、この情報操作画面１５の上側にあって、この情報操作画面１５の横方向全体にわたる横長のコンテンツリスト表示領域１６と、情報操作画面１５の下側にあって、この情報操作画面１５の横方向の一部をなす横長のコンテンツ再生領域１７と、情報操作画面１５の下側の残りのコンテンツ保存領域１８とに区分されている。コンテンツリスト表示領域１６では、文字列からなるコンテンツのメニューのリスト（即ち、コンテンツリスト）が、例えば、右側から左側に順次流れるようにスクロール表示され、所望とするコンテンツメニューを指先でタッチ操作すると、このコンテンツメニューに対するコンテンツがデータベース（図示せず）から再生されて、コンテンツ再生領域１７に表示される。また、このコンテンツ再生領域１７で再生表示されるコンテンツを、例えば、指先でチッタ操作して、コンテンツ保存領域１８に移すことにより、カードリーダ８（図１）でＩＣカード（図示せず）に保存することができるし、また、顧客が所有のＰＣ（パソコン）などに転送させることもできる。
【００３９】
ここで、コンテンツリスト表示領域１６でコンテンツリストが、上記のように、流れているスクロール表示状態で、指先でこのコンテンツ表示領域１６に触れた場合には、このコンテンツリストの流れの状態は変化しないが、例えば、この実施形態の情報表示端末が喫茶店やバーなどに設置されているなどして、テーブル面３情報操作画面１５上に、例えば、グラスなどの指先でない物体が置かれたときには、川の中で水が障害物を避けるようにして流れるように、このコンテンツリストがこの物体を避けて流れるように見えることになる。このために、カメラ部１３（図１）が撮像したスクリーン４ａ，４ｂのシルエットの形状をパターン認識することにより、このシルエットを生じさせる物体が指先であるか否かを判定する。
【００４０】
いま、図４（ａ）に示すように、コンテンツリスト表示領域１６で流れる「ＭＯＶＩＥ」というコンテンツメニュー１９を手の先２０の指先でタッチしたとすると、このコンテンツメニュー１９の表示部分を拡大して示すと、図４（ｂ）に示すように、手２０のシルエット２０ａがスクリーン４（４ａ，４ｂ）上に形成される。シルエットのパターン認識のために、一例として、このスクリーン４は微小面積の単位エリア（以下、セルという）２１に仮想的に区分されており、シルエット２０ａに含まれるかかるセル２１の配列関係からこのシルエットの形状、従って、このシルエット２０ａを生じさせる物体の種類、即ち、手の先２０か、それ以外の物体かが判定される。この場合には、指先でコンテンツメニュー１９がタッチされたものであるから、シルエット２０ａは手の先２０のシルエットと判定し、コンテンツメニュー１９はそのまま同じ方向にスクロールして（流れて）いく。なお、この場合には、コンテンツメニュー「ＭＯＶＩＥ」１９がタッチ操作されたものであるから、そのコンテンツがコンテンツ再生領域１７（図３）に表示されることになる。また、このシルエット２０ａは手の先２０のスクリーン４に触れた部分のものであり、図２（ｃ１），（ｃ２）や図２（ｄ１），（ｄ２）で説明した閾値ＶTを用いる方法により、検出されるものである。
【００４１】
ここで、セル２１の大きさは、コンテンツメニュー１９を構成する文字を１つ含む大きさ（例えば、８×８画素）としており、また、各セル２１は個々にスクリーン４、従って、コンテンツリスト表示領域１６でのその位置が管理されている。そこで、このコンテンツリスト表示領域１６に生ずるシルエットは、その位置がかかるセル２１の位置と関連付けて検出され、また、このコンテンツリスト表示領域１６をスクロールするコンテンツメニューを構成する夫々の文字の位置も、このセル２１の位置に関連して管理される。このようにして、検出されたシルエットの位置も、コンテンツリストの各文字の位置も、管理されることになる。
【００４２】
なお、カメラ部１３からの映像信号は、デジタル映像信号に変換された後、上記の閾値ＶTで、この閾値ＶT以下のレベルの画素値が“０”となるように、２値化され、上記のセル内での“０”の画素数が割合が規定の値（例えば、２０％）以上のとき、このセルはシルエット内にあるとする。
【００４３】
また、各セルは、例えば、このセルの左上隅の画素位置によって、その位置が規定される。従って、セルの大きさを８×８画素とし、図４（ｂ）を示すセル２１の配列をスクリーン４ａ，４ｂによる表示面とすると、表示画面での画素位置を単位とする横ｍ番目，縦ｎ番目のセルの位置は、｛１＋８（ｍ−１），１＋８（ｎ−１）｝となる。
【００４４】
各コンテンツメニュー１９は、先頭の文字（図４に示すコンテンツメニュー１９では、文字「Ｍ」）が移動する軌道（本来は横方向の軌道）に沿って（即ち、個の先頭の文字の後を付いて）、この先頭の文字に続いて残りの文字（図４に示すコンテンツメニュー１９では、文字「Ｏ」，「Ｖ」，「Ｉ」，「Ｅ」）が移動する。そして、先頭の文字に対して、この文字が存在するセルの移動方向１つ前方のセルがシルエットに含まれるものであるか否か判定され、この前方のセルがシルエットに含まれないものであるとき、あるいは指先のシルエットに含まれる場合でも、先頭のセルは、従って、残りのセルも１つ前方のセルに進む。このようにして、シルエットに含まれないセルの領域では、コンテンツメニューがその本来の横方向の流れに沿って移動していく。
【００４５】
また、図５（ａ）に示すように、コンテンツリストがスクロールするコンテンツ表示領域１６に、例えば、コップなどの指先以外の物体２２を置いたとすると、このシルエット２２ａは図５（ｂ）に示すようになり、パターン認識によってこれが指先以外のものであることを認識することができる。
【００４６】
そこで、この場合には、このシルエット２２ａに突き当たるように、コンテンツメニュー「ＭＯＶＩＥ」１９が流れてきたとすると、これがシルエット２２ａに突き当たる直前に、即ち、このコンテンツメニュー「ＭＯＶＩＥ」１９の先頭の文字「Ｍ」の１つ前方のセルがシルエット２２ａに含まれるものであることが判定されると、図６（ａ）に示すように、この先頭の文字「Ｍ」はこのシルエット２２ａに突き当たらない方向（例えば、上方向）に流れを変え、これに続いて、図６（ｂ）に示すように、次の文字「Ｏ」も文字「Ｍ」に続いて、シルエット２２ａに突き当たらない同じ方向に流れを変える。このようにして、コンテンツメニュー「ＭＯＶＩＥ」１９の文字が順次シルエット２２ａに突き当たらない方向に流れを変えていく、元の流れの方向でシルエット２２ａに突き当たらない位置に達すると、再び元の正規の方向（即ち、コンテンツリスト表示領域１６の長手方向）に流れの方向を戻す。勿論、シルエット２２ａの形状によっては、このように方向を変えた結果、さらに、シルエットに突き当たる場合には、突き当たらない方向に流れの方向を変える。従って、一時逆戻りする場合もあり得る。
【００４７】
このシルエットに対するコンテンツニューの流れの方向は、予め決められた規則に従って決められる。その一例としては、まず、先頭の文字の現時点のセルに対して移動方向（横方向）に１つ前方のセルがシルエットに含まれることが検出されると、まず、例えば、現時点でのセルに対して上方向１つ前方のセルがシルエットに含まれるか否か判定し、含まれなければその方向に移動を変えるが、含まれるのであれば、次に、現時点でのセルに対して下方向１つ前方のセルがシルエットに含まれるか否か判定する。このような判定によって、コンテンツメニュー１９が指以外の物体を避けて流れることになる。勿論、この先頭の文字に続く同じコンテンツメニューの残りの文字も、この先頭の文字の軌道に沿って移動する。
【００４８】
以上のようにして、指先でタッチしたとき以外のシルエットが検出された場合には、コンテンツメニューがこのシルエットを避けるようにして流れることになり、これにより、かかるコンテンツメニューのリストは、シルエットに邪魔されずに、即ち、テーブル面３のスクリーン４上にコップなどの物体が置かれても、これに隠されることなく、そのまま表示されて流れることになる。また、このようなコンテンツリストの流れは、川の流れと同様なものであって、従来のメニューリストの表示方式とは異なる特殊のものであるから、顧客に非常な興味を引き起こさせて注目されるものであり、メニューリストが使用される可能性が増大することになる。
【００４９】
図７は図１に示す第１の実施形態とこれを用いたシステムの一具体例を示すシステム構成図であって、は制御部、３１は映像合成部、３２は記憶部、３３はタッチセンサ、３４は通信部、３５はサーバ、３６はユーザデータベース、３７はパンフレットデータベース、３８はコンテンツデータベース、３９は外部制御部、４０は外部通信部、４１は通信網、４２はＰＣ（パソコン）、４３はＩＣカードリーダライタであり、前出図面に対応する部分には同一符号を付けて重複する説明を省略する。なお、ここでは、タッチセンサ３３も示しているが、これは後述する実施形態で用いられるものであって、この第１の実施形態では、設けられていない。
【００５０】
同図において、カメラ部１３ａ，１３ｂからの映像信号は映像合成部３１に供給されて、これら映像信号が合成されてスクリーン４ａ，４ｂによる１つの情報操作画面１５（図３）全体の映像信号が形成され、制御部３０に供給される。このために、例えば、まず、カメラ部１３ａが１／２フィールド期間にスクリーン４ａを撮像し、次いで、次の１／２フィールド期間にカメラ部１３ｂがスクリーン４ｂを撮像するようにして、各フィールド毎にカメラ部１３ａ，１３ｂが夫々スクリーン４ａ，４ｂを撮像する。映像合成部３１は、これらカメラ部１３ａ，１３ｂからの映像信号を１フィールド毎にメモリに記憶して合成し、情報操作画面１５の映像を作成して制御部３０に供給する。
【００５１】
制御部３０はＣＰＵ（Central Processing Unit）などを備え、記憶部３２を用いて各部の制御や信号処理を行なうものであって、また、情報操作画面１５での下層的な各セル２１（図４）の表示画面１５での位置を管理している。そして、映像合成部３１からの映像信号を処理して、上記のような手法により、スクリーン４ａ，４ｂに生ずるシルエットを検出し、また、このシルエットの位置や形状を、これが含むセル２１を用いて、判定する。
【００５２】
なお、映像合成部３１は必ずしも必要なものではなく、カメラ部１３ａ，１３ｂからの映像信号を直接制御部３０に供給するようにしてもよい。
【００５３】
また、制御部３０は、タグリーダ７でユーザの無線ＩＤタグからタグ情報（ここでは、パンフレットＩＤ）が読み取られると、このタグ情報としてのパンフレットＩＤを取り込み、後述するように、サーバ３５の情報をもとに、このパンフレットＩＤに応じたコンテンツリストを作成して投写装置１２ａ，１２ｂに供給し、表示画面１５のコンテンツリスト表示領域１６（図３）に表示させる。そして、制御部３０は、映像合成部３１からの映像信号をもとにして検出したシルエットに応じて、図４〜図６で説明したように、コンテンツリスト表示領域１６でのコンテンツメニュー１９の流れ（スクロール）も制御する。
【００５４】
さらに、制御部３０は、カードリーダ８でユーザの無線ＩＣカードからユーザＩＤが読み取られると、これを取り込み、後述するように、サーバ３５の情報のもとに、このユーザＩＤに応じたコンテンツメニューを作成して投写装置１２ａに供給し、表示画面１５のコンテンツ保存領域１８（図３）に表示させる。  さらに、また、制御部３０は、コンテンツリスト表示領域１６で表示されるコンテンツリストやコンテンツ保存領域１８で表示されるコンテンツメニューで選択されたコンテンツをサーバ３５から読み取って記憶部３２に保持し、これを投写装置１２ａ，１２ｂに供給して情報操作画面１５のコンテンツ再生領域１７（図３）に表示させる。このようなサーバ３５との通信は、通信部３４を用いて行なわれる。
【００５５】
さらに、制御部３０は、近接センサ９ａ，９ｂや着座センサ１０の検出出力を取り込み、各部の制御を行なう。
【００５６】
サーバ３５は、外部通信部４０を備えて、テーブル１の制御部３０や通信網４１を介してユーザ用のＰＣ４２などと通信が可能であって、また、ユーザデータベース３６やパンフレットデータベース３７，コンテンツデータベース３８を備え、テーブル１の制御部３０からの要求に応じて、コンテンツリストの情報やコンテンツを提供できる。
【００５７】
ここで、コンテンツデータベース３８には、図８（ａ）に示すように、ムービファイルやテキストファイルといったコンテンツが夫々、固有のコンテンツＩＤを付されて、格納されている。
【００５８】
無線ＩＣカードには、そのカード固有のＩＤ（ユーザＩＤ）が格納されている。ユーザデータベース３６には、図８（ｂ）に示すように、無線ＩＣカードのユーザＩＤ毎に、このユーザＩＤでコンテンツデータベース３８から提供を受けることができるコンテンツのＩＤ（コンテンツＩＤ）が格納されている。ここでは、例えば、ユーザＩＤ「Ｕ−００００１」に対しては、コンテンツＩＤ「Ｃ−００２」，「Ｃ−００４」，「Ｃ−００６」，「Ｃ−００８」のコンテンツが提供できることになる。また、かかるコンテンツＩＤをもとに、制御部３０はカードリーダ８で読み取りが行なわれた無線ＩＣカードに対してコンテンツリストを作成し、これを情報操作画面１５のコンテンツリスト表示領域１６に表示させる。
【００５９】
無線ＩＤタグには、そのタグ固有のＩＤ（パンフレットＩＤ）が格納されている。パンフレットデータベース３７には、図８（ｃ）に示すように、無線ＩＤタグのパンフレットＩＤ毎に、このパンフレットＩＤでコンテンツデータベース３８から提供を受けることができるコンテンツのＩＤ（コンテンツＩＤ）が格納されている。ここでは、例えば、パンフレットＩＤ「Ｐ−００００１」に対しては、コンテンツＩＤ「Ｃ−００１」，「Ｃ−００２」，「Ｃ−００３」，「Ｃ−００４」のコンテンツが提供できることになる。また、かかるコンテンツＩＤをもとに、制御部３０はタグリーダ７で読み取りが行なわれた無線ＩＤタグに対してコンテンツリストを作成し、これを情報操作画面１５のコンテンツリスト表示領域１６に表示させる。
【００６０】
そこで、ユーザがその所有の無線ＩＤタグをタグリーダ７で読み取らせたところ、これによって読み取られたパンフレットＩＤが「Ｐ−００００１」とすると、制御部３０はこのパンフレットＩＤを通信部３４を介してサーバ３５に送る。サーバ３５では、このパンフレットＩＤを外部通信部４０で受信し、外部制御部３９に供給する。外部制御部３９は入力情報の判定処理し、これがパンフレットＩＤであると判定すると、パンフレットデータベース３７からこの「Ｐ−００００１」のパンフレットＩＤに対するコンテンツＩＤ「Ｃ−００１」，「Ｃ−００２」，「Ｃ−００３」，「Ｃ−００４」を読み取り、外部通信部７０からテーブル１に送信する。テーブル１では、これを通信部３４で受信し、制御部３０に送る。制御部３０では、上記のように、受信した上記のコンテンツＩＤ「Ｃ−００１」，「Ｃ−００２」，「Ｃ−００３」，「Ｃ−００４」を記憶部３２に保存し、これらコンテンツＩＤに対するコンテンツリストを作成し、投写部１２ａ，１２ｂに供給して、情報操作画面１５のコンテンツリスト表示領域１６（図３）に流れる（スクロールする）コンテンツリストとして表示させる。ユーザがこのコンテンツリストからコンテンツメニューを選択すると、選択されたこのコンテンツメニューのコンテンツがサーバ３５のコンテンツデータベース３８から読み取られ、情報操作画面１５のコンテンツ再生領域１７（図３）で表示される。
【００６１】
カードリーダ８で無線ＩＣカードから読み取られるユーザＩＤに対しても、制御部３０は、サーバ３５のユーザデータベース３６からこのユーザＩＤに対するコンテンツＩＤを読み出して、これらコンテンツＩＤに対するコンテンツメニューを作成して投写部１２ａ，１２ｂに供給し、情報操作画面１５のコンテンツ保存領域１８（図３）に表示させる。ユーザは、これらコンテンツメニューの１つを選択することにより、選択されたコンテンツメニューのコンテンツがサーバ３５のコンテンツデータベース３８から読み取られ、情報操作画面１５のコンテンツ再生領域１７（図３）で表示される。
【００６２】
サーバ３５の外部通信部４０は通信網４１を介してユーザ所有のＰＣ４２と接続されており、これにより、これらサーバ３５とＰＣ４２との間で通信を行なうことができる。ＰＣ４２は無線ＩＣカードのカードリーダ４３が設けられており、テーブル１のカードリーダ８で読み取り可能な無線ＩＣカードのユーザＩＤを読み込むことにより、サーバ３５のユーザデータベース３６からこのユーザＩＤのコンテンツＩＤ（図８（ｂ））を取り込んでコンテンツメニューのリストをＰＣ４２の表示面に表示させることにより、このリストから所定のコンテンツメニューを選択することにより、これに対するコンテンツをサーバ３５のコンテンツデータベース３８から取り込んでこの表示画に表示させることができる。即ち、テーブル１に用いる無線ＩＣカードを用いることにより、ＰＣ４２においても、サーバ３５のコンテンツデータベース３８のコンテンツを取得することができるものである。
【００６３】
なお、サーバ３５は、テーブル１と同じ建家（例えば、喫茶店などの店舗や展示場など）４４内に設置してもよいし、また、インターネットなどのネットワークを介してテーブル１と接続するようにしてもよいし、テーブル内に格納してもよい。
【００６４】
次に、以上の構成の第１の実施形態の動作を説明する。
【００６５】
図９はこの第１の実施形態の全体的な動作を示すフローチャートである。
【００６６】
図１に示すテーブル１では、これにユーザ（顧客）が近づかず、近接センサ９ａ，９ｂがユーザを検知しないときには、スクリーン４ａ，４ｂには何も表示されていない。ユーザが近づいてこれを近接センサ９ａ，９ｂが検知すると（図９のステップ１００）、制御部３０（図７）が動作してスクリーン４ａ，４ｂに待機画面５０（図１０（ａ））が表示される（図９のステップ１０１）。この待機画面５０では、例えば、「どうぞお座りになってください」といったような案内メッセージが表示されているだけである。この案内に従ってユーザが椅子２に座ると、これを検知し（図９のステップ１０２）、スクリーン４ａ，４ｂに操作説明画面５１（図１０（ｂ））が表示される（図９のステップ１０３）。この操作説明画面５１は、詳細な説明は省略するが、図９の次のステップ１０４で表示される情報操作画面での操作方法を説明するものであり、この操作説明画面５１に表示される、例えば、「流れるキーワードを手で選んでください」などといった案内に従ってこの操作説明画面５１のコンテンツリスト表示画面１６で流れながら表示されているいずれかのキーワード５１ａをタッチ操作すると、先に説明したようにコンテンツを閲覧するための操作ができる情報操作画面１５（図３）の表示状態に移る（図９のステップ１０４）。
【００６７】
情報操作画面１５としては、タグリーダ７が無線ＩＤタグからパンフレットＩＤを読み取ったことによる情報操作画面と、さらに、カードリーダ８が無線ＩＣカードからユーザＩＣを読み取ったことによる情報操作画面と、これらの読み取りが行なわれない場合の自動的に表示される自動情報操作画面とがある。
【００６８】
ユーザが椅子２に座って操作説明画面５１を操作したときには、自動操作画面が表示され、これを操作することにより、この自動情報操作画面のコンテンツリスト表示領域１６に表示されるコンテンツリストのコンテンツをサーバ３５のコンテンツデータベース３８から取得してコンテンツ再生領域１７に表示させることができる。
【００６９】
そして、この自動情報操作画面の表示中に、タグリーダ７で無線ＩＤタグからパンフレットＩＤの読み取りが、あるいはカードリーダ８で無線ＩＣカードからユーザＩＣの読み取りが行なわれると（図９のステップ１０５）、このパンフレットＩＤもしくはユーザＩＤに応じたコンテンツＩＤやコンテンツがサーバ３５から読み取られ（図９のステップ１０６）、かかる情報が表示された情報操作画面が情報操作画面１５に表示される。
【００７０】
そして、以上の情報操作画面が表示されているときも、ほぼ周期的に着座センサ１０の検出出力が制御部３０に取り込まれ（図９のステップ１０２）、ユーザが椅子２から立ち上がったときには、ＩＤタグ７に無線ＩＤタグが残っていないかどうかの認識処理やカードリーダ８に無線ＩＣカードが残っていないかどうかの認識処理が行なわれ（図９のステップ１０７）、いずれにも残っていないときには、情報操作画面での情報をクリアし（図９のステップ１０９）、いずれかが残っている場合には、その旨を音声などによってユーザに通知し（図９のステップ１０８）、情報操作画面での情報をクリアする（図９のステップ１０９）。そして、次のユーザの接近を待つ（図９のステップ１００）。
【００７１】
このように、ユーザが椅子２から離れることにより、これを着座センサ１０が検知してスクリーン４ａ，４ｂでのこれまでの表示画面をクリアするものであるから、これまでの画面操作による履歴がリフレッシュされる。
【００７２】
ここで、無線ＩＤタグや無線ＩＣカードについて説明すると、一例として、同じ無線ＩＤタグでは、同じジャンルのコンテンツだけしか閲覧することができず、無線ＩＤタグ毎に閲覧することができるコンテンツのジャンルを異ならせる。例えば、スポーツのジャンルのコンテンツを見たい場合には、このジャンルの無線ＩＤタグを用いればよい。そして、テーブル１が喫茶店などの店舗に設置されている場合には、かかる無線ＩＤタグを店舗がユーザに貸し出すようにしてもよい。
【００７３】
無線ＩＣカードは、ジャンルに関係なく、そのユーザが好みのコンテンツを閲覧することができるようにするものである。後述するように、無線ＩＣカードで閲覧することができるコンテンツは、無線ＩＣタグを用いることによって情報操作画面１５のコンテンツリスト表示領域１６に表示されるコンテンツリストで選ぶことができる。
【００７４】
なお、上記の自動情報操作画面では、お勧めのコンテンツや、店舗の場合には、そこの宣伝・広告や依頼される他社のコマーシャルなどといったコンテンツとしてもよい。
【００７５】
次に、この第１の実施形態での情報操作画面１５について説明する。
【００７６】
（１）自動情報操作画面１５ａ：
図１０に示す操作説明画面５１でキーワード５１ａをタッチ操作すると、図１１（ａ）に示す自動情報操作画面１５ａが表示され、そのコンテンツリスト表示領域１６に複数のコンテンツメニュー１９からなるコンテンツリストが横方向に流れて表示され（以下では、右から左方向に流れる（スクロールする）ものとする）、この表示が繰り返される。ここで、図１１では、コンテンツメニュー１９として、「Ａ＋＋＋＋」，「Ｂ＋＋＋＋」，「Ｃ＋＋＋＋」，「Ｄ＋＋＋＋」，「Ｅ＋＋＋＋」，「Ｆ＋＋＋＋」，「Ｇ＋＋＋＋」の７個を示すが、これら対するコンテンツを夫々コンテンツＡ，Ｂ，Ｃ，Ｄ，Ｅ，Ｆ，Ｇとする。
【００７７】
かかる表示状態で、図１１（ｂ）に示すように、指先５２により、このコンテンツリストの１つのコンテンツメニュー１９（例えば、「Ａ＋＋＋＋」）をタッチ操作して選択すると、上記のようにして、サーバ３５のコンテンツデータベース３８（図７）からこのコンテンツメニュー「Ａ＋＋＋＋」１９に対するコンテンツが読み取られ、図１１（ｃ）に示すように、自動情報操作画面１５ａのコンテンツ再生領域１７にこのコンテンツＡのコンテンツ画面５４ａとして表示される。このコンテンツ再生領域１７には、さらに、「保存」ボタン５３ａと「閉じる」ボタン５３ｂとが表示される。また、コンテンツリスト表示画面１６では、選択されたコンテンツメニュー「Ａ＋＋＋＋」１９が除かれる。なお、コンテンツメニュー１９が選択されて除かれると、これに伴って、コンテンツリストに新たなコンテンツメニュー「Ｆ＋＋＋＋」１９が追加されて表示される。
【００７８】
そこで、図１１（ｄ）に示すように、指先で「保存」ボタン５３ａをタッチ操作すると、図１１（ｅ）に示すように、コンテンツ保存領域１８にコンテンツＡのアイコン（コンテンツアイコン）５５ａが表示され、また、コンテンツ再生領域１７でのコンテンツ画面５４ａの表示が終了する。
【００７９】
次に、図１１（ｅ）に示す自動情報操作画面１５ａで、図１２（ａ）に示すように、コンテンツリスト表示領域１６での他のコンテンツメニュー「Ｂ＋＋＋＋」１９をタッチして選択すると、上記と同様、サーバ３５のコンテンツデータベース３８（図７）からこのコンテンツメニュー「Ｂ＋＋＋＋」１９に対するコンテンツＢが読み取られ、図１２（ｂ）に示すように、自動情報操作画面１５ａのコンテンツ再生領域１７にこのコンテンツＢのコンテンツ画面５４ｂが表示される。このコンテンツ再生領域１７でも、さらに、「保存」ボタン５３ａと「閉じる」ボタン５３ｂとが表示される。また、コンテンツリスト表示画面１６では、新たに選択されたコンテンツメニュー「Ｂ＋＋＋＋」１９が除かれる。なお、コンテンツメニュー１９が選択されて除かれると、これに伴って、コンテンツリストに新たなコンテンツメニュー「Ｇ＋＋＋＋」１９が追加されて表示される。
【００８０】
そして、図１２（ｃ）に示すように、指先で「保存」ボタン５３ａをタッチ操作すると、図１２（ｄ）に示すように、コンテンツ保存領域１８にコンテンツＢのコンテンツアイコン「Ｂ」５５ｂが表示され、また、コンテンツ再生領域１７でのコンテンツＢの表示が終了する。このとき、図１１（ｄ）に示す操作によってコンテンツ保存領域１８に既に表示されているコンテンツアイコン「Ａ」５５ａもそのまま表示され、２つのコンテンツＡ，Ｂが保存されていることが示される。
【００８１】
なお、コンテンツ保存領域１８でコンテンツアイコンが表示されるコンテンツ（図１２（ｄ）に対しては、コンテンツＡ，Ｂ）に対して、それらのコンテンツＩＤが記憶部３２（図７）に保存され、これによって保存されているコンテンツが区別される。このように、コンテンツＩＤが記憶部３２に保存されたコンテンツのことを、コンテンツが保存されたという。
【００８２】
また、図１２（ｄ）に示す自動情報操作画面１５ａで、図１３（ａ）に示すように、コンテンツ保存領域１８に表示されるコンテンツアイコン、例えば、コンテンツアイコン「Ａ」５５ａを指先５２でタッチして選択すると、このコンテンツアイコン「Ａ」５５ａに対するコンテンツＩＤが記憶部３２（図７）から読み取られ、さらに、このコンテンツＩＤをもとにサーバ３５のコンテンツデータベース３８からコンテンツＡが読み取られ、図１３（ｂ）に示すように、コンテンツ再生領域１７にコンテンツ画面５４ａが、「保存」ボタン５３ａと「閉じる」ボタン５３ｂとともに、表示される。これとともに、記憶部３２からコンテンツＡのコンテンツＩＤが除かれ、コンテンツ保存領域１８では、選択されたコンテンツアイコン「Ａ」５５ａが削除される。
【００８３】
かかる表示状態において、「閉じる」ボタン５３ｂを指先５２でタッチ操作すると、図１３（ｄ）に示すように、コンテンツ再生領域１７でのコンテンツ画面５４ａの表示が中止され、これとともに、コンテンツリスト表示領域１６では、このコンテンツＡのコンテンツメニュー「Ａ＋＋＋＋」１９がコンテンツリストに追加され、また、これとともに、これまで表示されていたコンテンツメニュー１９（例えば、最後に付加されたコンテンツメニュー「Ｇ＋＋＋＋」）が１個このコンテンツリストから除かれる。
【００８４】
このようにして、コンテンツ保存領域１８で表示されるコンテンツアイコンをタッチ操作することにより、このコンテンツアイコンに該当するコンテンツがコンテンツ再生領域１７で表示されることになり、ユーザが希望するコンテンツをこのように保存することにより、この希望するコンテンツを、コンテンツリストから選択することなく、いつでも間違いなく再生して閲覧することができる。
【００８５】
また、コンテンツ再生領域１７でコンテンツＡのコンテンツ画面５４ａが表示されている図１１（ｃ）に示す自動情報操作画面１５ａで、図１４（ａ）に示すように、コンテンツリスト表示領域１６でのコンテンツメニュー１９（例えば、コンテンツメニュー「Ｂ＋＋＋＋」）を指先５２で選択すると、図１４（ｂ）に示すように、コンテンツ再生領域１７で表示されているコンテンツＡは、そのコンテンツアイコン「Ａ」５５ａがコンテンツ保存領域１８で表示されるようになって、保存され、これとともに、コンテンツ再生領域１７では、コンテンツ画面５４ａに代わって、選択されたコンテンツメニュー「Ｂ＋＋＋＋」）１９のコンテンツＢのコンテンツ画面５４ｂが表示される。
【００８６】
また、図１４（ｂ）に示す自動情報操作画面１５ａで、図１４（ｃ）に示すように、指先５２でコンテンツ保存領域１８でのコンテンツアイコン「Ａ」５５ａをタッチ操作すると、図１４（ｂ）に示すように、コンテンツ再生領域１７に、コンテンツ画面５４ｂに代わって保存されていたコンテンツＡのコンテンツ画面５４ａが表示され、これとともに、コンテンツＡに代わってコンテンツＢが保存され、コンテンツ保存領域１８にコンテンツＢのコンテンツメニュー「Ｂ」５５ｂが表示される。
【００８７】
このようにして、保存している複数のコンテンツは、いつでも交代して閲覧することが可能であり、不必要となったコンテンツは、「閉じる」ボタン５３ｂを用いることにより、保存を解除することができる。
【００８８】
（２）無線ＩＤタグによる情報操作画面１５ｂ：
図１５（ａ）に示すように、テーブル面３（図１）のタグセンサ７の対向位置（マーク，枠などで明示されている）に無線ＩＤタグ５６ａを置くと、タグセンサ７がパンフレットＩＤを読み取り、先に説明したように、コンテンツリスト表示領域１６にこのパンフレットＩＤに応じたコンテンツメニュー１９によるコンテンツリストが流れるように表示される情報操作画面１５ｂが表示される。そして、このようにコンテンツメニューが表示された状態で、図１５（ｂ）に示すように、タグセンサ７の対向位置から取り除くと、コンテンツメニュー１９が表示されなくなり、この状態が所定時間経過すると、図１１〜図１４で説明した自動情報操作画面１５ａが表示されるようになるが、この所定時間が経過する前に、図１５（ｃ）に示すように、タグセンサ７の対向位置に無線ＩＤタグを置くと、この無線ＩＤタグに対するコンテンツリストが表示される。このときの無線ＩＤタグ５６ｂが図１５（ａ）での無線ＩＤタグ５６ａと異なるときには、表示されるコンテンツリストも異なる。
【００８９】
この情報操作画面１５ｂについても、自動情報操作画面１５ａと同様の図１１〜図１４で説明した操作を行なうことができ、これにより、無線ＩＤタグに対するコンテンツリストのコンテンツの閲覧や保存をすることができる。
【００９０】
（３）無線ＩＣカードによる情報操作画面１５ｃ：
例えば、いま、図１２（ｄ）に示す自動情報操作画面１５ａの表示状態で、あるいは無線ＩＤタグ５６による同様の情報操作画面１５ｂの表示状態で（これを図１６（ａ）に示す）、図１６（ｂ）に示すように、カードリーダ８に対向するテーブル３上の位置（マークや枠などが表わされている）に無線ＩＣカード５７を置くと、このカードリーダ８によってこの無線ＩＣカード５７からユーザＩＤが読み取られ、上記のように、このユーザＩＤに対するコンテンツＩＤがサーバ３５のユーザデータベース３６（図７，図８（ｂ））から読み取られ、コンテンツ保存領域１８にこれらコンテンツＩＤに対するコンテンツアイコンが表わされた情報操作画面１５ｃがスクリーン４ａ，４ｂに表示される。ここでは、元々保存されているコンテンツＡ，Ｂのコンテンツアイコン「Ａ」５５ａ，「Ｂ」５５ｂに加えて、無線ＩＣカード５７によるコンテンツアイコン「い」５５ｄ，「ろ」５５ｄが表示される。このときには、コンテンツ保存領域１８には、「メール送信」ボタン５８も表示される。
【００９１】
このコンテンツ保存領域１８に表示されるコンテンツアイコンの機能は全て同等であり、図１６（ｃ）に示すように、コンテンツアイコン「ろ」５５ｄを指先５２で選択すると、図１６（ｄ）に示すように、コンテンツアイコン「ろ」５５ｄに対するコンテンツ「ろ」のコンテンツ画面５４ｃがコンテンツ再生画面１７に表示される。勿論、コンテンツアイコン「ろ」５５ｄはコンテンツ保存領域１８から取り除かれる。このとき、「保存」ボタン５３ａ，「閉じる」ボタン５３ｂも表示され、図１６（ｅ）に示すように、この「閉じる」ボタン５３ｂをタッチ操作すると、図１７（ａ）に示すように、コンテンツ再生領域１７でのコンテンツ画面５４ｃや夫々のボタン５３ａ，５３ｂの表示がなくなり、その代わりにコンテンツリスト表示領域１６のコンテンツリストにコンテンツ「ろ」のコンテンツメニュー「ろ＋＋＋＋」１９が追加されて表示される。
【００９２】
そして、この表示状態で、例えば、無線ＩＣカード５７をカードリーダ８の対向位置からはずすと、図１７（ｂ）に示すように、コンテンツ保存領域１８でのコンテンツアイコン「Ａ」５５ａ，「Ｂ」５５ｂ，「い」５５ｃに対するコンテンツ「Ａ」，「Ｂ」，「い」がこの無線ＩＣカード５７に登録されることになる。但し、このコンテンツの登録は、サーバ３５（図７）でのユーザデータベース３６（図７，図８（ｂ））において、この無線ＩＣカード５７のユーザＩＤに対してこのコンテンツ「Ａ」，「Ｂ」，「い」のコンテンツＩＤを登録することによって行なわれる。従って、この無線ＩＣカード５７を再びカードリーダ８の対向位置に載置すると、この無線ＩＣカード５７のユーザＩＤにより、ユーザテータベース３６からこれらコンテンツ「Ａ」，「Ｂ」，「い」のコンテンツＩＤが読み取られて、図１７（ｃ）に示すように、情報操作画面１５ｃのコンテンツ保存領域１８にコンテンツ「Ａ」，「Ｂ」，「い」のコンテンツアイコン「Ａ」５５ａ，「Ｂ」５５ｂ，「い」５５ｃが表示されることになる。
【００９３】
また、例えば、図１７（ｃ）に示すように、無線ＩＣカード５７の情報操作画面１５ｃで、図１７（ｄ）に示すように、「メール送信」ボタン５８をタッチ操作すると、この情報操作画面１５ｃのコンテンツ保存領域１８でのコンテンツアイコン「Ａ」５５ａ，「Ｂ」５５ｂ，「い」５５ｃに対するコンテンツＩＤが、図７において、通信部３４，サーバ３５の外部通信部４０（これを通さなくてもよいようにすることもできる），通信網４１を介して、この無線ＩＣカード５７に保存されているメールアドレスのＰＣ４２に送信することができる。このＰＣ４２では、カードリーダライタ４３により、ＩＣカードにこれらコンテンツＩＤを書き込むことができる。そして、このＩＣカードをこのＰＣ４２に用いることにより、このＰＣ４２から希望のコンテンツをサーバ３５に要求し、これに対してサーバ３５からコンテンツデータベース３８から要求されたコンテンツがＰＣ４２に提供される。
【００９４】
図１７（ａ）に示すように、無線ＩＣカード５７からのコンテンツ「ろ」に対するコンテンツメニュー「ろ＋＋＋＋」１９がコンテンツリスト表示領域１６に表示された状態でこの無線ＩＣカード５７をカードリーダ８の対向位置からはずすと、このコンテンツメニュー「ろ＋＋＋＋」１９もコンテンツリスト表示領域１６のコンテンツリストから除かれる。また、コンテンツ保存領域１８に表示されていた、例えば、自動情報操作画面１５ａのコンテンツリストからのコンテンツアイコン「Ａ」５５ａ，「Ｂ」５５ｂに対するコンテンツメニュー「Ａ」「Ｂ」は、コンテンツリスト表示領域１６のコンテンツリストに戻される。なお、除かれてしまったコンテンツ「ろ」は、これを含む無線ＩＤタグなどを上記のように用いることによって閲覧することができるし、このときに、無線ＩＣカードに登録することができる。
【００９５】
このようにして、無線ＩＣカードで閲覧できるコンテンツを変更することができる。
【００９６】
なお、以上では、情報操作画面１５のコンテンツ再生領域画面１７で、コンテンツ画面５４とともに、「保存」ボタン５３ａと「閉じる」ボタン５３ｂとが同時に表示されるとしたが、図１８（ａ）に示すように、通常コンテンツ画面５４に「保存」ボタン５３ａ，「閉じる」ボタン５３ｂは表示されず、図１８（ｂ）に示すように、コンテンツ画面５４に指先５２が触れると、「保存」ボタン５３ａと「閉じる」ボタン５３ｂとが表示され、指先５２を離すと、図１８に示す表示状態に戻り、この触れた状態で指先５２を移動させて、図１８（ｃ）に示すように、「保存」ボタン５３ａに触れるようになると、これが機能し、上記のように、また、図１８（ｄ）に示すように、そのコンテンツアイコン５５がコンテンツ保存領域１８に表示されるようにすることもできる。
【００９７】
図１９はコンテンツ再生領域１７にコンテンツ画面が表示されているとき、このコンテンツ画面に触れる指先の方向により、このコンテンツ画面の表示の向きを変えることができるようにした方法の具体例を示す図である。
【００９８】
図１９（ａ）において、（イ）に示すように、手２０を左向きにして指先５２がこのコンテンツ画面５４にタッチしたものとすると、タッチし始めるとともに、（ロ）に示すような指先５２のシルエット５２ａが現われるようになり、この細長いシルエット５２ａが、（ハ）に示すように、ほぼ最大ななったときに、その重心５９を求める。そして、次に指先がコンテンツ画面５４から離れていくときに、その重心の移動を検出し（（ニ）はその途中を示す）、（ハ）に示すシルエット５２ａが再大のときの受信５９のい遅滞する重心の移動方向を検出し（ホ）、その移動方向の向きにコンテンツ画面５４を表示させる。これにより、コンテンツ画面５４は、（ヘ）に示すように、手２０の向き、即ち、左向きに表示されることになる。
【００９９】
図１９（ｂ）は、その（イ）に示すように、手２０の向きを右向きとしたものであるが、上記と同様にして、（ロ）〜（ヘ）に示すように、コンテンツ画面５４は、右向きに表示されることになる。
【０１００】
なお、以上の第１の実施形態では、物体のシルエットを得るために、図１において、赤外線ＬＥＤ６を用いたが、これに限らず、赤外線を含むものであれば、白熱電球などの照明灯を用いるようにしてもよい。また、テーブル１の天板のテーブル面３に置かれた物体の位置を検出できるものであれば、例えば、第２の実施形態として図２０に示すように、感圧センサ２０や静電容量によるセンサなどのタッチセンサを用いてタッチ機能を持たせるようにしてもよい。但し、この場合には、図７において、赤外線ＬＥＤ６やカメラ部１３ａ，１３ｂ、映像合成部３１は設けられず、タッチセンサ３３を用いてスクリーン４ａ，４ｂ上のシルエットの位置が検出されることになる。
【図面の簡単な説明】
【０１０１】
【図１】本発明によるテーブル型情報端末の一実施形態を示す図である。
【図２】図１における赤外線ＬＥＤからの赤外線照射による効果を説明するための図である。
【図３】図１におけるスクリーンによる表示面の領域区分を示す図である。
【図４】図３におけるコンテンツリスト表示領域を指先でタッチしたときのシルエットとコンテンツメニューの流れを示す図である。
【図５】図３におけるコンテンツリスト表示領域に指先以外の物体を置いたときのシルエットを示す図である。
【図６】図５に示すシルエットに対するコンテンツメニューの流れを示す図である。
【図７】図１に示す第１の実施形態の内部構成とこれを用いたシステムの一具体例を示す図である。
【図８】図７における各データベースの一具体例を模式的に示す図である。
【図９】図１に示す第１の実施形態の全体的な動作の一具体例を示すフローチャートである。
【図１０】図１に示す第１の実施形態での待機画面と操作説明画面の一具体例を示す図である。
【図１１】図１のスクリーンに表示される自動情報操作画面の遷移の一具体例の一部を示す図である。
【図１２】図１１に続く自動情報操作画面の遷移を示す図である。
【図１３】図１２に続く自動情報操作画面の遷移を示す図である。
【図１４】図１３に続く自動情報操作画面の遷移を示す図である。
【図１５】図１のスクリーンに表示される無線ＩＤタグによる情報操作画面の遷移の一具体例の一部を示す図である。
【図１６】図１のスクリーンに表示される無線ＩＣカードによる情報操作画面の遷移の一具体例の一部を示す図である。
【図１７】図１６に続く情報操作画面の遷移を示す図である。
【図１８】図１のスクリーンに表示される情報操作画面での操作方法の一具体例を示す図である。
【図１９】図１のスクリーンに表示される情報操作画面での操作方法の他の具体例を示す図である。
【図２０】本発明によるテーブル型情報端末の第２の実施形態の要部を示す外観斜視図である。
【符号の説明】
【０１０２】
１  テーブル
２  椅子
３  テーブル面
４，４ａ，４ｂ  スクリーン
５  衝立
６  赤外線ＬＥＤ
７  タグリーダ
８  カードリーダ
９ａ，９ｂ  近接センサ
１０  着座センサ
１１  前外面
１２  投写装置
１３  カメラ部
１４  物体
１５，１５ａ〜１５ｃ  情報操作画面
１６  コンテンツリスト表示領域
１７  コンテンツ表示領域
１８  コンテンツ保存領域
１９  コンテンツメニュー
２０  手の先
２０ａ  シルエット
２１  セル
２２  物体
２２ａ  シルエット
３０  制御部
３１  映像合成部
３２  記憶部
３３  タッチセンサ
３５  サーバ
３６  ユーザデータベース
３７  パンフレットデータベース
３８  コンテンツデータベース
５２  指先
５２ａ  シルエット
５３ａ  「保存」ボタン
５３ｂ  「閉じる」ボタン
５４，５４ａ〜５４ｃ  コンテンツ画面
５５ａ〜５５ｄ  コンテンツアイコン
５６ａ，５６ｂ  無線ＩＤタグ
５７  無線ＩＣカード
５８  「メール送信」ボタン
５９  重心
６０  タツチセンサ
【図１】
2005228102.tif 000003
【図２】
2005228102.tif 000004
【図３】
2005228102.tif 000005
【図４】
2005228102.tif 000006
【図５】
2005228102.tif 000007
【図６】
2005228102.tif 000008
【図７】
2005228102.tif 000009
【図８】
2005228102.tif 000010
【図９】
2005228102.tif 000011
【図１０】
2005228102.tif 000012
【図１１】
2005228102.tif 000013
【図１２】
2005228102.tif 000014
【図１３】
2005228102.tif 000015
【図１４】
2005228102.tif 000016
【図１５】
2005228102.tif 000017
【図１６】
2005228102.tif 000018
【図１７】
2005228102.tif 000019
【図１８】
2005228102.tif 000020
【図１９】
2005228102.tif 000021
【図２０】
2005228102.tif 000022